(57)【要約】【課題】押圧式で材料を押し出す押圧式化粧筆を提供する。【解決手段】押圧式化粧筆１００は、軸筒１０、押しボタン２０、プッシャ３０、ラックギヤ４０及び回復ユニット５０を備える。軸筒１０は、前端にペン先１１が設けられるとともに、内部に押出部材１２を有する。押出部材１２には、押し杆１３が垂直に接続される。押し杆１３は、軸筒１０の後端に向かって延び、軸筒１０の周壁と、押出部材１２とにより収納空間１４及び動作空間１５が画成される。収納空間１４は、軸筒１０の前端に位置して化粧品が充填される。動作空間１５は、軸筒１０の後端に位置する上、軸筒１０表面の動作空間１５上には開口部が形成される。押しボタン２０は、頂部が押圧可能な状態で軸筒１０の開口部から露出され、底部両側に設けられた複数の傾斜ブロック２１を有する。プッシャ３０は、押しボタン２０の底部に配設される。【選択図】図３
0003200350.tif 000002
【実用新案登録請求の範囲】
【請求項１】
軸筒、押しボタン、プッシャ、ラックギヤ及び回復ユニットを備えた押圧式化粧筆であって、
前記軸筒は、前端にペン先が設けられるとともに、内部に押出部材を有し、前記押出部材には、押し杆が垂直に接続され、前記押し杆は、前記軸筒の後端に向かって延び、前記軸筒の周壁と、前記押出部材とにより収納空間及び動作空間が画成され、前記収納空間は、前記軸筒の前端に位置して化粧品が充填され、前記動作空間は、前記軸筒の後端に位置する上、前記軸筒表面の前記動作空間上には開口部が形成され、
前記押しボタンは、頂部が押圧可能な状態で前記軸筒の開口部から露出され、底部両側に設けられた複数の傾斜ブロックを有し、
前記プッシャは、前記押しボタンの底部に配設され、前記プッシャの両側には、前記複数の傾斜ブロックに対応した複数の傾斜凹部が形成されるとともに、前記傾斜凹部には、前記複数の傾斜ブロックが挿設され、前記プッシャには、前記押し杆が嵌合される貫通孔が形成され、前記プッシャは、後端に設けられたフック部と、底部に設けられたラチェット弾片と、を有し、
前記ラックギヤは、前記押出部材に接続され、前記軸筒の後端に向かって延びるとともに、前記押し杆に対して平行であり、前記ラックギヤは、前記プッシャの前記ラチェット弾片と噛合され、
前記回復ユニットは、前記軸筒の前記動作空間に固設されるとともに前記プッシャの前記フック部と接続され、
前記押しボタンが押圧されると、前記プッシャにより前記ラックギヤが駆動され、前記ラックギヤ及び前記押出部材が前記ペン先に向かって移動し、前記収納空間の化粧品が前記ペン先から排出されると前記押しボタンがリリースされ、前記回復ユニットにより前記プッシャが初期位置まで引き戻され、ユーザが繰り返して押圧すると化粧筆から材料が排出されることを特徴とする押圧式化粧筆。
【請求項２】
前記回復ユニットは、引張ばねを含み、
前記引張ばねの一端は、前記プッシャの前記フック部に係合され、
前記回復ユニットは、さらに回復ブロックを有し、
前記回復ブロックは、前記軸筒の内壁に接続され、
前記回復ブロックには、前記押し杆に対応した穿孔が形成され、
前記穿孔中には、前記押し杆が挿設され、前記回復ブロックの後側上部には前記ペン先に向かうようにフックが延び、前記引張ばねの他端が、前記フックに嵌合されることを特徴とする請求項１に記載の押圧式化粧筆。
【請求項３】
前記収納空間に充填する化粧品が液体である場合、
前記押出部材には、ピストンヘッドが設けられ、前記ピストンヘッドにより密閉状態が形成されることを特徴とする請求項１に記載の押圧式化粧筆。
【請求項４】
前記押しボタンの前記傾斜ブロックは、ストッパの傾斜凹部に嵌合され、
前記プッシャは、前記押し杆に嵌合され、
前記プッシャ底部の前記ラチェット弾片は、前記ラックギヤと噛合され、
前記ラックギヤは、前記プッシャを位置決めするために用い、
前記プッシャは、前記軸筒内で前記ペン先へ向かって軸方向で移動することを特徴とする請求項１に記載の押圧式化粧筆。
【考案の詳細な説明】
【技術分野】
【０００１】
本考案は、化粧筆に関し、特に、押圧方式で材料を押し出す押圧式化粧筆に関する。
【背景技術】
【０００２】
市販されている化粧筆の使用範囲は広く、例えば眉毛、まつ毛、アイライン、リップグロスなどの塗布に用いる。化粧筆には、液体化粧品又は固体化粧品の２種類が充填され、化粧筆の押出し方式の大部分は、回転式又は押圧式を採用している。回転式化粧筆の場合、化粧筆のペン体を回転させると、化粧筆内に充填された化粧品が化粧筆のペン先から排出される。押圧式の場合、化粧筆の終端部を押圧すると、化粧筆内の化粧品が化粧筆のペン先から排出され、化粧品を速やかに排出することができるため、ユーザは化粧し続けることができる。
【０００３】
化粧の途中でペン先内の化粧品を使い果たし、ユーザが化粧筆内の化粧品をペン先に供給して化粧を続けたい場合、化粧を一時的に止めて現在塗布している箇所から化粧筆を移動させてから、両手で化粧筆のペン体を回転させるか、化粧筆の終端部を片手で押圧し、化粧品をペン先から排出しなければならなかった。そのため化粧が中断され、先ほどまで塗布を行っていた箇所に再び化粧品を塗布しなければならず、化粧全体が不完全となる虞があった。このように従来の化粧筆には欠点があった。
【考案の概要】
【考案が解決しようとする課題】
【０００４】
本考案の主な目的は、化粧筆を塗布している箇所に留めながら、軸筒内の化粧品を排出し、化粧し続けることができるため化粧筆の利便性が高い、押圧式化粧筆を提供することにある。
【課題を解決するための手段】
【０００５】
上記課題を解決するために、本考案の第１の形態によれば、軸筒、押しボタン、プッシャ、ラックギヤ及び回復ユニットを備えた押圧式化粧筆であって、前記軸筒は、前端にペン先が設けられるとともに、内部に押出部材を有し、前記押出部材には、押し杆が垂直に接続され、前記押し杆は、前記軸筒の後端に向かって延び、前記軸筒の周壁と、前記押出部材とにより収納空間及び動作空間が画成され、前記収納空間は、前記軸筒の前端に位置して化粧品が充填され、前記動作空間は、前記軸筒の後端に位置する上、前記軸筒表面の前記動作空間上には開口部が形成され、前記押しボタンは、頂部が押圧可能な状態で前記軸筒の開口部から露出され、底部両側に設けられた複数の傾斜ブロックを有し、前記プッシャは、前記押しボタンの底部に配設され、前記プッシャの両側には、前記複数の傾斜ブロックに対応した複数の傾斜凹部が形成されるとともに、前記傾斜凹部には、前記複数の傾斜ブロックが挿設され、前記プッシャには、前記押し杆が嵌合される貫通孔が形成され、前記プッシャは、後端に設けられたフック部と、底部に設けられたラチェット弾片と、を有し、前記ラックギヤは、前記押出部材に接続され、前記軸筒の後端に向かって延びるとともに、前記押し杆に対して平行であり、前記ラックギヤは、前記プッシャの前記ラチェット弾片と噛合され、前記回復ユニットは、前記軸筒の前記動作空間に固設されるとともに前記プッシャの前記フック部と接続され、前記押しボタンが押圧されると、前記プッシャにより前記ラックギヤが駆動され、前記ラックギヤ及び前記押出部材が前記ペン先に向かって移動し、前記収納空間の化粧品が前記ペン先から排出されると前記押しボタンがリリースされ、前記回復ユニットにより前記プッシャが初期位置まで引き戻され、ユーザが繰り返して押圧すると化粧筆から材料が排出されることを特徴とする押圧式化粧筆が提供される。
【図面の簡単な説明】
【０００６】
【図１】本考案の第１実施形態に係る押圧式化粧筆を示す斜視図である。
【図２】本考案の第１実施形態に係る押圧式化粧筆を示す分解斜視図である。
【図３】本考案の第１実施形態に係る押圧式化粧筆を示す断面図である。
【図４】本考案の第１実施形態に係る押圧式化粧筆の押しボタンを押圧していないときの状態を示す断面図である。
【図５】本考案の第１実施形態に係る押圧式化粧筆の押しボタンを押圧したときの状態を示す断面図である。
【図６】本考案の第１実施形態に係る押圧式化粧筆の押しボタンをリリースしたときの状態を示す断面図である。
【図７】本考案の第２実施形態に係る押圧式化粧筆を示す分解斜視図である。
【考案を実施するための形態】
【０００７】
（第１実施形態）
図１〜図３を参照する。図１は、本考案の第１実施形態に係る押圧式化粧筆を示す斜視図である。図２は、本考案の第１実施形態に係る押圧式化粧筆を示す分解斜視図である。図３は、本考案の第１実施形態に係る押圧式化粧筆を示す断面図である。図１〜図３に示すように、本考案の第１実施形態に係る押圧式化粧筆は、少なくとも軸筒１０、押しボタン２０、プッシャ３０、ラックギヤ４０及び回復ユニット５０から構成されてなる。
【０００８】
軸筒１０の前端には、ペン先１１が設けられる。軸筒１０内には押出部材１２が設けられる。押出部材１２には、押し杆１３が垂直に接続される。押し杆１３は、軸筒１０の後端に向かって延びる。軸筒１０の周壁と、押出部材１２とにより、収納空間１４及び動作空間１５が画成される。収納空間１４は、軸筒１０の前端に位置し、化粧品が充填される。動作空間１５は、軸筒１０の後端に位置する上、軸筒１０表面の動作空間１５上には開口部１６が形成される。本実施形態の押出部材１２には、ピストンヘッド１７が設けられ、このピストンヘッド１７により収納空間１４が密閉状態に形成され、液体の化粧品が充填される。
【０００９】
押しボタン２０は、開口部１６に配設される。押しボタン２０は、頂部が押圧可能な状態で軸筒１０から露出され、底部両側に設けられた複数の傾斜ブロック２１を有する。本実施形態の押しボタン２０底部の両側には、ストッパ２２がそれぞれ設けられ、押しボタン２０は開口部１６に位置決めされる。
【００１０】
プッシャ３０は、押しボタン２０の底部に配設される。プッシャ３０の両側には、複数の傾斜ブロック２１に対応する複数の傾斜凹部３１が形成される。傾斜凹部３１には、複数の傾斜ブロック２１が挿設される。プッシャ３０には、押し杆１３が嵌合される貫通孔３２が形成される。プッシャ３０は、後端に設けられたフック部３３と、底部に設けられたラチェット弾片３４と、を有する。
【００１１】
ラックギヤ４０は、押出部材１２に接続されるとともに、軸筒１０の後端に向かって延び、押し杆１３に対して平行に配設される。ラックギヤ４０は、プッシャ３０のラチェット弾片３４と噛合される。
【００１２】
回復ユニット５０は、軸筒１０の動作空間１５に固設されるとともにプッシャ３０のフック部３３に接続される。本実施形態の回復ユニット５０は、引張ばね５１を含む。引張ばね５１の一端は、プッシャ３０のフック部３３に係合される。回復ユニット５０は、さらに回復ブロック５２を有する。回復ブロック５２は、軸筒１０の内壁に接続される。回復ブロック５２には、押し杆１３に対応する穿孔５２１が形成される。穿孔５２１中には押し杆１３が挿設される。回復ブロック５２の後側の上部にはペン先１１に向かうようにフック５２２が延び、引張ばね５１の他端は、フック５２２に嵌合される。
【００１３】
図４〜図６を参照する。図４は、本考案の第１実施形態に係る押圧式化粧筆の押しボタンを押圧していないときの状態を示す断面図である。図５は、本考案の第１実施形態に係る押圧式化粧筆の押しボタンを押圧したときの状態を示す断面図である。図６は、本考案の第１実施形態に係る押圧式化粧筆の押しボタンをリリースしたときの状態を示す断面図である。図１〜図６に示すように、本考案の第１実施形態に係る押圧式化粧筆は、押しボタン２０の傾斜ブロック２１がプッシャ３０の傾斜凹部３１に係合される。プッシャ３０には、押し杆１３が嵌合される。プッシャ３０底部のラチェット弾片３４は、ラックギヤ４０と噛合する。ラックギヤ４０は、プッシャ３０を位置決めするために用い、プッシャ３０は、軸筒１０内でペン先１１へ向かうように軸方向で移動し、ユーザが押圧式化粧筆１００を使用して化粧している途中で、ペン先１１から排出される化粧塗料を使い果たした場合、軸筒１０の側辺に設けられた押しボタン２０を押圧すると、下向きへ押圧する押しボタン２０の垂直方向の力が、ペン先１１へ向かって延びる水平方向の力と、傾斜ブロック２１の傾斜方向で下方へ延びた傾斜方向の力と、に分解される。水平方向の力は、プッシャ３０底部のラチェット弾片３４とラックギヤ４０とが係合される垂直面を介し、ラックギヤ４０及びピストンヘッド１７を駆動し、ペン先１１へ向けて前進する。このとき収納空間１４が小さくなり、収納空間１４内の液体の化粧品２００がペン先１１から押し出された後、押しボタン２０がリリースされると、プッシャ３０が軸筒１０内に固設された回復ユニット５０の引張ばね５１が初期位置に引き戻される。ピストンヘッド１７とラックギヤ４０とは、押圧後の位置に維持される。この構成により、押しボタン２０を押圧すると、プッシャ３０によりラックギヤ４０を駆動し、ラックギヤ４０及びピストンヘッド１７をペン先１１に向けて移動させ、収納空間１４の化粧品２００がペン先１１から排出され、押しボタン２０をリリースすると、回復ユニット５０によりプッシャ３０が初期位置へ引き戻されるため、ユーザは押圧動作を繰り返すことができる。押圧式化粧筆１００は、押圧方式により材料を排出させる。そのため、ユーザは押圧式化粧筆１００を塗布している箇所に留めながら、軸筒１０内の化粧品２００を排出し、化粧を続けることができるため化粧筆の利便性が高い。
【００１４】
（第２実施形態）
図７を参照する。図７は、本考案の第２実施形態に係る押圧式化粧筆に示す斜視図である。図７に示すように、押圧式化粧筆１００は中に充填される化粧品２００が固体であり、押出部材１２に接続されて押圧方式で材料を排出させることができるため、使用が容易である。
【符号の説明】
【００１５】
１０    軸筒
１１    ペン先
１２    押出部材
１３    押し杆
１４    収納空間
１５    動作空間
１６    開口部
１７    ピストンヘッド
２０    押しボタン
２１    傾斜ブロック
２２    ストッパ
３０    プッシャ
３１    傾斜凹部
３２    貫通孔
３３    フック部
３４    ラチェット弾片
４０    ラックギヤ
５０    回復ユニット
５１    引張ばね
５２    回復ブロック
１００  押圧式化粧筆
２００  化粧品
５２１  穿孔
５２２  フック
【図１】
0003200350.tif 000003
【図２】
0003200350.tif 000004
【図３】
0003200350.tif 000005
【図４】
0003200350.tif 000006
【図５】
0003200350.tif 000007
【図６】
0003200350.tif 000008
【図７】
0003200350.tif 000009